【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
厚さが約０．５μｍより大きく約２００μｍ未満の正のカソードと、
厚さ約１０μｍ未満の電解質と、
厚さ約３０μｍ未満の負のアノードと
を備える、電気化学的装置。
【請求項２】
非気相蒸着カソードを含む、請求項１に記載の電気化学的装置。
【請求項３】
前記正のカソードは約４μｍよりも大きい厚さであり、
該正のカソードは非気相蒸着工程によって製造される、請求項１に記載の電気化学的装置。
【請求項４】
基板をさらに備える、請求項１〜３のいずれかに記載の電気化学的装置。
【請求項５】
前記カソードは該基板に隣接する、請求項１〜４のいずれかに記載の電気化学的装置。
【請求項６】
厚さが約５０μｍまでの前記基板をさらに備える、請求項１〜５のいずれかに記載の電気化学的装置。
【請求項７】
厚さが約１０μｍまでの前記基板をさらに備える、請求項６に記載の電気化学的装置。
【請求項８】
前記基板は、アルミニウムおよびアルミニウム合金の群から選択される、請求項１〜７のいずれかに記載の電気化学的装置。
【請求項９】
前記基板は電流コレクタを備える、請求項１〜８のいずれかに記載の電気化学的装置。
【請求項１０】
前記基板の上に障壁層をさらに備える、請求項１〜９のいずれかに記載の電気化学的装置。
【請求項１１】
前記障壁層は、前記基板と、前記アノードまたは前記カソードのいずれかとの間の電子の移動を防ぐように適合される、請求項１０に記載の電気化学的装置。
【請求項１２】
前記障壁層は、前記基板と、前記アノードまたは前記カソードのいずれかとの間のイオンの移動を防ぐように適合される、請求項１０に記載の電気化学的装置。
【請求項１３】
電流コレクタをさらに備える、請求項１〜１２のいずれかに記載の電気化学的装置。
【請求項１４】
前記カソードは、約５μｍより大きく約１００μｍ未満の厚さである、請求項１〜１３のいずれかに記載の電気化学的装置。
【請求項１５】
前記カソードは、約３０μｍより大きく約８０μｍ未満の厚さである、請求項１４に記載の電気化学的装置。
【請求項１６】
前記電解質は薄膜電解質である、請求項１に記載の電気化学的装置。
【請求項１７】
前記カソードは、スラリーコーティングカソード粉末材料、バインダー材料および電気伝導エンハンサー材料によって蒸着する、請求項１〜１５のいずれかに記載の電気化学的装置。
【請求項１８】
前記カソードはマイヤーロッドコーティング技術、直接ロールコーティング技術、逆ロールコーティング技術またはドクターブレード技術を用いて蒸着する、請求項１〜１７のいずれかに記載の電気化学的装置。
【請求項１９】
前記カソードはスピンコーティングによって、電気泳動蒸着によって、またはインク吐出工程によって蒸着する、請求項１〜１５のいずれかに記載の電気化学的装置。
【請求項２０】
前記カソードは、不活性金属、不活性合金および炭素質材料の群から選択される材料で実質的に吸収される、請求項１〜１９のいずれかに記載の電気化学的装置。
【請求項２１】
前記カソードは、ＬｉＣｏＯ２またはその誘導体を含む、請求項１〜２０のいずれかに記載の電気化学的装置。
【請求項２２】
前記ＬｉＣｏＯ２またはその誘導体は、周期表の１から１７族の元素の群から選択される元素でドーピングされる、請求項２１に記載の電気化学的装置。
【請求項２３】
前記カソードは、ＬｉＣｏＯ２、ＬｉＭｎ２Ｏ４、ＬｉＭｎＯ２、ＬｉＮｉＯ２、ＬｉＦｅＰＯ４、ＬｉＶＯ２およびそれらの任意の混合物から成る群からの材料を含む、請求項１〜２２のいずれかに記載の電気化学的装置。
【請求項２４】
前記カソードは、複数の垂直構造を有する構造に形成される、請求項１〜２３のいずれかに記載の電気化学的装置。
【請求項２５】
前記複数の垂直構造は機械的手段を用いて形成される、請求項２４に記載の電気化学的装置。
【請求項２６】
前記垂直構造は、カソード材料の最大厚未満の高さを有する、請求項２４または２５のいずれかに記載の電気化学的装置。
【請求項２７】
前記複数の垂直構造は、前記カソード内の任意の体素と、該カソードと反対側の前記電解質の層の最も近い体素との平均距離を減少させるように構成される、請求項２４〜２６のいずれかに記載の電気化学的装置。
【請求項２８】
前記カソードは、少なくとも炭素質材料をさらに含む複合カソードである、請求項１〜２４のいずれかに記載の電気化学的装置。
【請求項２９】
前記複数の垂直構造は、前記カソード内の任意の体素と、該カソードと反対側の前記電解質の層の最も近い体素との平均距離を減少させるように構成される、請求項２３〜２８のいずれかに記載の電気化学的装置。
【請求項３０】
前記電解質は、リチウムホスホラスオキシニトリド（ＬｉＰＯＮ）を含む、請求項１に記載の電気化学的装置。
【請求項３１】
前記アノードは、リチウム、リチウム合金、リチウムを含む固溶体または化合物を形成できる金属、および負のアノードとして機能できる任意のリチウムイオン化合物から選択される、請求項１に記載の電気化学的装置。
【請求項３２】
前記電解質は真空気相成長法によって蒸着される、請求項１、１６または３０のいずれかに記載の電気化学的装置。
【請求項３３】
前記電解質は非気相法によって蒸着される、請求項１、１６または３０のいずれかに記載の電気化学的装置。
【請求項３４】
真空気相成長した薄膜被包、保護ポリマー複合体の加圧熱積層、感圧感熱接着剤面で覆われた金属箔の加圧熱積層、および金属被覆から選択される被包工程で形成された被包をさらに含む、請求項１に記載の電気化学的装置。
【請求項３５】
真空気相工程によって成長した被包をさらに含む、請求項３４に記載の電気化学的装置。
【請求項３６】
前記被包は無機化合物および金属の多層堆積から成る、請求項３５に記載の電気化学的装置。
【請求項３７】
前記被包は約１０μｍより薄い、請求項３５または３６のいずれかに記載の電気化学的装置。
【請求項３８】
前記被包は、介在調節層によって前記負のアノードから分離する、請求項３５〜３７のいずれかに記載の電気化学的装置。
【請求項３９】
前記調節層はＬｉＰＯＮを含む、請求項３８に記載の電気化学的装置。
【請求項４０】
前記調節層はＬｉＰＯＮから成る、請求項３９に記載の電気化学的装置。
【請求項４１】
アノード電流コレクタをさらに備える、請求項１〜４０のいずれかに記載の電気化学的装置。
【請求項４２】
防湿層が前記アノード電流コレクタと前記電解質との間に介在させられる、請求項４１に記載の電気化学的装置。
【請求項４３】
前記防湿層は湿度遮断特性を有する材料を含み、金属、半金属、合金、ホウ化物、炭化物、ダイアモンド、ダイアモンド様炭素、ケイ化物、窒化物、リン化物、酸化物、フッ化物、塩化物、臭化物およびヨウ化物から選択される、請求項４２に記載の電気化学的装置。
【請求項４４】
前記防湿層は湿度遮断特性を有する材料を含み、ホウ化物、炭化物、ケイ化物、窒化物、リン化物、酸化物、フッ化物、塩化物、臭化物およびヨウ化物で構成される任意の多元系化合物から選択される、請求項４２または４３に記載の電気化学的装置。
【請求項４５】
前記防湿層は湿度遮断特性を有する材料を含み、高温安定性有機ポリマーおよび高温安定性シリコーンから選択される、請求項４２または４３に記載の電気化学的装置。
【請求項４６】
カソード電流コレクタをさらに備える、請求項１に記載の電気化学的装置。
【請求項４７】
前記アノード電流コレクタは、少なくとも部分的に防湿層によって覆われる、請求項４１に記載の電気化学的装置。
【請求項４８】
前記防湿層はＺｒＯ２を含む、請求項４２に記載の電気化学的装置。
【請求項４９】
非気相蒸着工程を用いてカソードを蒸着することと
厚さ約１０μｍ未満の電解質を蒸着することと、
アノードを蒸着することと
を含む、請求項１〜４８のいずれかに記載の電気化学的装置の製造方法。
【請求項５０】
厚さが約０．５μｍより大きく約２００μｍ未満の正のカソードを蒸着することと、
厚さ約１０μｍ未満の電解質を蒸着することと、
厚さ約３０μｍ未満の負のアノードを蒸着することと、
非気相蒸着工程によって正のカソードを蒸着することと
と含む、請求項４９に記載の電気化学的装置の製造方法。
【請求項５１】
前記カソードは基板上に蒸着する、請求項４９または５０に記載の方法。
【請求項５２】
前記カソードを蒸着することは、ａ）不活性金属および合金の群から選択される材料を用いてその完成または未完成状態で該カソードを覆うことと、ｂ）該材料を該カソードに実質的に吸収させるのに十分な熱を加えることとを含む、請求項４９〜５１のいずれかに記載の方法。